(57)【要約】【課題】フィット性と快適性を高めたスリングを提供する。【解決手段】環状本体を使用者の肩に掛け、肩掛け位置に対向する幼児収容部(10)内に幼児を収容するスリング(1)において、前記幼児収容部(10)の側縁部(12)が、環状本体の周方向に沿って離間した２箇所で、縮小具(14)(15a)(15b)により縮小可能となされている。【選択図】    図１
2007330447.tif 000002
【特許請求の範囲】
【請求項１】
環状本体を使用者の肩に掛け、肩掛け位置に対向する幼児収容部内に幼児を収容するスリングにおいて、
前記幼児収容部の側縁部が、環状本体の周方向に沿って離間した２箇所で周方向に縮小可能となされていることを特徴とするスリング。
【請求項２】
前記側縁部において、２箇所の縮小位置の間に緩衝材が配置されている請求項１に記載のスリング。
【請求項３】
前記側縁部を縮小する縮小具が、側端から環状本体の幅方向の中心側に退いた位置に取り付けられている請求項１または２に記載のスリング。
【請求項４】
前記側縁部を縮小する縮小具が、側縁部に環状本体の周方向に沿って固着されたベルトの両端に取り付けられている請求項１〜３のいずれか１項に記載のスリング。
【発明の詳細な説明】
【技術分野】
【０００１】
この発明は、幼児をだっこする際の抱持補助具として用いられるスリングに関する。
【背景技術】
【０００２】
スリングは長尺の布を環状に形成した抱持補助具であり、使用者の一方の肩にたすき掛けにし、幼児の身体を包み込むようにして保持するものである。このようなスリングは、２本の肩ベルトによるリュック式ベビーキャリアに比べると構造が単純で使用方法が簡単であり、また軽量で携帯時に嵩張らない点が好まれている（特許文献１〜３、非特許文献１参照）。
【特許文献１】実開平１−９２８６２号公報
【特許文献２】実開平７−１４９２１号公報
【特許文献３】特開２００３−４７５４２号公報
【非特許文献１】Ｐｒｅｍａｘｘベビーバッグ〔平成１７年５月２２日検索〕、インターネット〈ＵＲＬ：http://akasugu.net/cgi-bin/baby/goods/goods.cgi?GOODS_SEARCH=category&CATEGORY_CD=15&MIDDLE_CATEGORY_CD=150400&ENTRY=goods_detail&AKASUGU_ID=C060503203F7〉
【発明の開示】
【発明が解決しようとする課題】
【０００３】
しかしながら、平面的な布で幼児を包み込むスリングでは、側縁が大きく開いて幼児の身体に対するフィット性が悪いという問題があった。
【０００４】
非特許文献１に記載されたスリングでは、側縁部を袋状に形成して紐を通し、長さ方向の中間部から引出して引き締めることにより側縁部を縮小し、幼児の収容空間を立体化してフィット性を高めている。しかし、紐を引き締めると側縁部にギャザーが入り、側縁部で背中を支えてだっこするとギャザーによる凹凸に押し付けられることになるため、幼児にとっては甚だ不快である。
【課題を解決するための手段】
【０００５】
本発明は、上述した現状のスリングに鑑み、フィット性と快適性を高めたスリングの提供を目的とする。
【０００６】
即ち、本発明のスリングは下記〔１〕〜〔４〕に記載の構成を有する。
〔１〕  環状本体を使用者の肩に掛け、肩掛け位置に対向する幼児収容部内に幼児を収容するスリングにおいて、前記幼児収容部の側縁部が、環状本体の周方向に沿って離間した２箇所で周方向に縮小可能となされていることを特徴とするスリング。
〔２〕  前記側縁部において、２箇所の縮小位置の間に緩衝材が配置されている前項項１に記載のスリング。
〔３〕  前記側縁部を縮小する縮小具が、側端から環状本体の幅方向の中心側に退いた位置に取り付けられている前項１または２に記載のスリング。
〔４〕  前記側縁部を縮小する縮小具が、側縁部に環状本体の周方向に沿って固着されたベルトの両端に取り付けられている前項１〜３のいずれか１項に記載のスリング。
【発明の効果】
【０００７】
上記〔１〕に記載のスリングは、幼児収容部の側縁部が、環状本体の周方向に沿って離間した２箇所で縮小され、その間の幼児の身体に接する縮小されないので、側縁部を縮小してフィット性を高めたものでありながら、平らな側縁部で幼児を支えることができる。
【０００８】
上記〔２〕に記載のスリングによれば、幼児への当たりが柔らかくなる。
【０００９】
上記〔３〕に記載のスリングによれば、縮小具を側端際に取り付けた場合よりも幼児の身体への接触が抑制され、硬質部材が身体に接触するという不快感を少なくすることができる。
【００１０】
上記〔４〕に記載のスリングによれば、側縁部が補強されて型くずれを防止できる。
【発明を実施するための最良の形態】
【００１１】
図１および図２に、本発明にかかるスリングの一実施形態を示す。
【００１２】
スリング(1)は布製であり、幅の広い幼児収容部(10)と幅の狭い肩掛け部(11)とを周方向に連結縫製することにより環状本体が形成されている。
【００１３】
前記幼児収容部(10)は、紡錘形に裁断した３枚の布を周方向に接ぎ合わせ、所謂立体裁断によって立体的な幼児収容空間を形成したものである。また、幼児収容部の幅方向（環状本体の幅方向）の両側縁部には袋状の耳部(12)が縫着され、該耳部(12)内には、後述する２組の縮小具の間に発泡樹脂からなる緩衝材(13)が挿入配置されている。
【００１４】
前記耳部(12)の外面において、幼児収容部の周方向の中心を挟んだ両側、即ち環状本体の周方向に沿って離間した２箇所に、側縁部を周方向に縮小させるための縮小具(14)(15a)(15b)が取り付けられている。縮小具は、調節ベルト(14)とこの調節ベルト(14)を係合させる２個一組のリング(15a)(15b)とからなり、調整ベルト(14)は基端部が耳部(12)に縫着され、この縫着位置から離れた位置にベルト(16)を介してリング(15a)(15b)が取り付けられている。また、前記調整ベルト(14)およびリング(15a)(15b)は、耳部(12)の側端から環状本体の幅方向の中心側に退いた位置に取り付けられている。そして、前記調整ベルト(14)の遊端側を２個のリング(15a)(15b)に通してからリング(15a)(15b)の間にくぐらせて引き締め、２個つのリング(15a)(15b)間に挟み付けて拘束することにより、調整ベルト(14)の基端部とリング(15a)(15b)との間の距離を縮小するすることができ、ひいては幼児収容部(10)の側縁部の周方向における長さを調節することができる。前記調整ベルト(14)は、２個のリング(15a)(15b))間に隙間を作れば引き締めることも緩めることもでき、拘束位置を加減することにより側縁部の長さを２箇所で任意に調節することができる。しかも、緩衝材(13)は２箇所の縮小具間にのみ挿入されているため、嵩高の緩衝材(13)が縮小を妨げることなく簡単に縮小させることができる。
【００１５】
前記幼児収容部(10)は、側縁部を縮小させることによって幼児収容空間がさらに立体化されてフィット性が高められる。しかも、図２に示すように、２箇所の縮小具間の幼児の背中に当たる部分は縮小されないので平らな面で幼児を支えることができ、非特許文献１のスリングのようにギャザーによる凹凸が押し付けられることもなく、幼児は快適にだっこされる。縮小量は調節することができ、幼児の成長に合わせたフィット性が得られる。また、開口部が縮小されることで幼児の転落を防止する効果も得られる。また、緩衝材(13)によって幼児への当たりが柔らかくなり快適性が向上する。さらに、縮小具であるリング(15a)(15b)が側端から退いた位置に取り付けられているため、側端際に取り付けた場合よりも幼児の身体に接触しにくく、硬質部材が身体に接触するという不快感を少なくすることができる。
【００１６】
なお、前記スリング(1)は、幅方向の両側の側縁部を縮小できるようにしてより一層フィット性を高めたものであるが、片側の側縁部にのみ縮小具を取り付けたものも本発明に含まれる。両側の側縁部を縮小できるようにしておけば、フィット性が高まるだけでなく、スリングの装着方向に拘わらず最良のフィット性が得られる。片側の側縁部のみを縮小する場合は、縮小可能な側縁部が外側になるように肩に掛ける。
【００１７】
前記リング(15a)(15b)は、図３に示す敷材(20)を装着するためのベルト(16)を利用して耳部(12)に取り付けられている。
【００１８】
前記ベルト(16)は、耳部(12)の側端から幅方向の中心側に退いた位置で側端に沿って配置され、ベルト(16)の長さ方向の数カ所においてベルト幅を横切るライン(17)上で耳部(14)に縫着されている。これにより、ベルト(16)が耳部(12)に固着されるとともに、ライン(17)(17)間では耳部(12)とベルト(16)との間に幅方向に貫通する通し部(18)が形成される。そして、前記ベルト(16)の両端に２個一組のリング(15a)(15b)が取り付けられている。一方、前記敷材(20)は、幼児の頭部から背面にあてがう敷板部(21)の頭部側にクッション性のヘッドガード(22)が縫着されたものである。前記敷板部(21)の頭部側周縁の中央には、細紐(23)を介して係止用棒状体(24)が取付られている。
【００１９】
そして、図３に示すように、敷材(20)の係止用棒状体(24)を前記幼児収容部(10)のいずれか１つの通し部(18)に挿通し、抜け止め状態とする。挿通する通し部(18)は、抱持位置や使用者の体格に応じて選択する。また、前記係止用棒状体(24)を細紐(18)上でスライドさせることにより、耳部(12)の側端からの装着距離を調節することができる。これにより、前記頭当て部材(20)は幼児収容部(10)の幅方向に沿って幼児収容部(10)を横断する位置に装着され、幼児を寝かせた状態で収容して抱持することができる。なお、ヘッドガードの無い敷材を用いて幼児収容部(10)の側縁から突出するように装着すれば、図２に示しただっこで頭部から背中を支えることができる。
【００２０】
前記ベルト(16)は、敷材(20)の装着および縮小具の取り付けに用いられる他、側縁部の補強材としても機能するものである。特に、袋状にした耳部(12)内に緩衝材(13)を挿入すると、耳部(12)の布と緩衝材(13)とが捩れて型くずれすることがあるが、外面にベルト(16)を縫着することで型くずれを防止して、スリングの耐久性を高めることができる。
【００２１】
なお、前記敷材(20)は本発明のスリングの要件ではないが、敷材(20)を環状本体に装着するためのベルト(16)を縮小具の取り付けに利用すれば、部品点数を増やすことなく縮小具を取り付けることができる。
【００２２】
本発明のスリングは上述した実施形態に限定されない。
【００２３】
環状本体は環状に縫製したものに限定されず、長尺シートの一端にリングやバックル等の連結具を取り付け、環状に形成するとともに環状本体の径寸法を調節するようにしたもの本発明に含まれる。また、環状に縫製したものであっても、図示例のような立体裁断による幼児収容部や幼児収容部と肩掛け部の接ぎ合わせに限定されす、一枚の長方形のシートを環状に縫製したものであっても良い。また、環状本体における幼児収容部とその他の部分とは一線を画して区分されるものではなく、使用者の肩掛け位置に対向する部分が幼児収容部となる。
【００２４】
また、使用者および幼児の体格や幼児の抱持位置によっては環状本体上で幼児を支持する部分が若干ずれることがあるが、幼児の背幅にゆとりを加え、さらにずれを見込んで２箇所の縮小位置を設定しておけば、確実に平らな部分で幼児を支持することができる。なお、環状本体を回転させて肩掛け位置を修正すれば簡単にずれを解消できるので、過剰な余裕を見込まずとも平らな部分で幼児を支持することができる。
【００２５】
また、環状本体(10)の素材は布に限定されす、メッシュやネットのような穴あき素材を用いることもでき、布と穴あき素材を組み合わせることもできる。
【００２６】
縮小具の種類も何ら限定されず、図示例のリングと調節ベルトの他、バックルの締結、ボタンやスナップ等の止着具、紐締め等の任意の縮小具を用いることができる。
【図面の簡単な説明】
【００２７】
【図１】本発明のスリングの一実施形態を示す斜視図である。
【図２】図１のスリングの使用状態を示す斜視図である。
【図３】図１のスリングに敷材を装着した状態を示す斜視図である。
【符号の説明】
【００２８】
１…スリング
10…幼児収容部
11…肩掛け部
12…耳部
14…調整ベルト（縮小具）
15a,15b…リング（縮小具）
16…ベルト
【図１】
2007330447.tif 000003
【図２】
2007330447.tif 000004
【図３】
2007330447.tif 000005